(57)【要約】【課題】着火時の圧力上昇による異常音の発生や脈動燃焼を確実に防止することが出来る燃焼装置を提供する。【解決手段】石油ガス化バ−ナやガンタイプバ−ナやガスバーナ等の瞬間的に着火するバ−ナ１と、該バ−ナ１に燃焼空気を供給する燃焼ファン３と、前記バ−ナ１の燃焼ガスは少なくとも強制的に屋外に排気されるもので、前記バ−ナ１と燃焼ファン３とを結ぶ送風経路４途中には、連通路１８を介して振動燃焼抑制箱１７が連通し、この振動燃焼抑制箱１７の一側面を硬度５０°〜６０°のゴム板２０で構成したことにより、着火時に逆流する空気流の圧力上昇分を振動燃焼抑制箱のゴム板２０で吸収し、異常音及び振動燃焼を確実に防止するものである。【選択図】図２
2013002795.tif 000002
【特許請求の範囲】
【請求項１】
石油ガス化バ−ナやガンタイプバ−ナやガスバーナ等の瞬間的に着火するバ−ナと、該バ−ナに燃焼空気を供給する燃焼ファンと、前記バ−ナの燃焼ガスは少なくとも強制的に屋外に排気されるものに於いて、前記バ−ナと燃焼ファンとを結ぶ送風経路途中には、連通路を介して振動燃焼抑制箱が連通し、この振動燃焼抑制箱の一側面を硬度５０°〜６０°のゴム板で構成した事を特徴とする燃焼装置。
【発明の詳細な説明】
【技術分野】
【０００１】
この発明は、ガスバ−ナや石油ガス化バ−ナ、ガンタイプバ−ナ等の瞬間的に着火するバ−ナを有した給湯機やＦＦ式温風暖房機に関するものである。
【背景技術】
【０００２】
従来よりこの種のものに於いては、バーナと燃焼空気を供給する燃焼ファンとを結ぶ送風経路途中に、入り口と出口が段違いにしたエアーチャンバーを備えたことで、着火時の異常音及び振動燃焼を確実に防止出来るものであった。（特許文献１参照）
【先行技術文献】
【特許文献】
【０００３】
【特許文献１】特開２００３−２６２３３１号公報
【発明の概要】
【発明が解決しようとする課題】
【０００４】
しかしながら、この従来のものでは、入り口と出口が段違いにしたエアーチャンバーだけでは、異常音や振動燃焼を完全に防止することは出来ず、結果的には出口から入った圧力上昇した空気は、入り口から出て行くもので、異常音や振動燃焼が継続すると言う課題を有するものであった。
【課題を解決するための手段】
【０００５】
この発明はこの点に着目し上記課題を解決する為に、特にその構成を、石油ガス化バ−ナやガンタイプバ−ナやガスバーナ等の瞬間的に着火するバ−ナと、該バ−ナに燃焼空気を供給する燃焼ファンと、前記バ−ナの燃焼ガスは少なくとも強制的に屋外に排気されるものに於いて、前記バ−ナと燃焼ファンとを結ぶ送風経路途中には、連通路を介して振動燃焼抑制箱が連通し、この振動燃焼抑制箱の一側面を硬度５０°〜６０°のゴム板で構成したものである。
【発明の効果】
【０００６】
この発明によれば、バ−ナの着火時に生じる圧力の上昇分は送風経路を通り、連通路を介して振動燃焼抑制箱に入ることで、この振動燃焼抑制箱の一側面をゴム板が膨らみ圧力の上昇分を吸収し、そしてゴム板が自然と元に戻ることにより、異常音や振動燃焼は抑制されることとなり、特にゴム板の硬度５０°〜６０°が送風圧の異常上昇分を良好に吸収することが出来るもので、硬度４０°では柔らか過ぎて圧力上昇分の吸収が出来ず、又硬度７０°では逆に固すぎて圧力上昇分の吸収が出来ないものであり、丁度良い硬度で長期に渡って異常音や振動燃焼を防止出来、常に安心して使用することが出来るものである。
【図面の簡単な説明】
【０００７】
【図１】この発明の一実施例を付した燃焼装置の概略構成図。
【図２】同要部の説明図。
【図３】同ゴム板の特性図。
【発明を実施するための形態】
【０００８】
次にこの発明の一実施形態を図面に基づいて説明する。
１は加熱ヒ−タ２を鋳込まれた石油ガス化式のバ−ナで、燃焼フアン３から送風経路４を介して供給される燃焼空気と、電磁ポンプ（図示せず）から圧送され噴霧ノズル５より噴霧される燃油とを予混合して、バ−ナヘッド部６で燃焼させるものであり、ガス化方式であるので点火器（図示せず）の点火で瞬間的に着火されるものである。７はバ−ナ１を吊り下げるようにして支持したバ−ナ支持台である。
【０００９】
８は前記したバ−ナ１を下方に備えた燃焼筒で、上部には集熱部９を介して複数個のパイプから構成された熱交換器１０が備えられ、最上部に備えられたクロスフロ−ファンから成る温風ファン（図示せず）によって送風される室内空気と、燃焼ガスとを熱交換して温風として室内に供給して温風暖房を行うものである。
【００１０】
１１は熱交換器１０を流通し温度降下した燃焼ガスを排気する排気管で、二重筒構造で先端の給排気孔部１２を屋外に突出させた給排気筒１３の排気部１４に接続し、熱交換後の燃焼ガスを屋外に排気するものであり、給気部１５には燃焼ファン３と連通した給気管１６が接続して、屋外の空気を燃焼空気としてバ−ナ１に供給するようにしたものである。  
【００１１】
１７はバ−ナ１と燃焼ファン３とを結ぶ送風経路４に連通路１８を介して連通した振動燃焼抑制箱で、鋼製の箱体でその一側面ここでは連通路１８の連通口１９と対向する底面を、硬度５０°〜６０°のゴム板２０で構成し該ゴム板２０の伸縮を利用して、バーナ１の爆発的着火によって発生する圧力上昇分を吸収するものであり、更にゴム板２０の外周は隙間２１を形成して鋼製のカバー体２２で覆うと共に、連通口１９と対向する位置には該連通口１９より大きなゴム板２０の逃げの開口２３を形成している。
【００１２】
次にこの発明一実施例の作動について説明する。
今運転スイッチ（図示せず）が押圧されれば、加熱ヒ−タ２が通電されてバ−ナ１の予熱が開始され、そして燃油が気化可能温度に達することで、燃焼ファン３から燃焼空気が供給されると共に噴霧ノズル５から燃油が噴霧され、バ−ナ１内で予混合気となって適宜点火器で点火すれば、瞬間的に着火し、この時の圧力上昇分は集熱部９や熱交換器１０と言う抵抗が多い排気側には流れず、バ−ナ１を介して給気側に流れる。
【００１３】
この給気側に流れた圧力上昇分は、送風経路４から連通路１８を介して振動燃焼抑制箱１７内に流れ、振動燃焼抑制箱１７内では連通路１８の連通口１９から直接正面のゴム板２０に圧力上昇分の送気がぶつかることで、ゴム板２０が膨張して膨らみ圧力上昇分を吸収して元に戻るものであり、振動燃焼抑制箱１７のゴム板２０によって、爆発的着火による異常音や振動燃焼を確実に防止することが出来るものである。
【００１４】
次にゴム板２０の硬度は、図３に示す実験結果の特性図から、暖着火５０回実施した時の振動燃焼発生回数をカウントした結果、硬度４０°が１８回と一番多く、二番目が硬度７０°の１２回で、硬度５０°と６０°では０回であり、この０回の５０°〜６０°の範囲の硬度のゴム板２０を使用することで、振動燃焼を確実に防止することが出来るものであり、又振動燃焼の発生による異常音も防止出来、常に安心して使用することが出来るものである。
【００１５】
更にゴム板２０は、外周をカバ体２２で覆われているので、破損する危険がなく安心して使用出来、しかもカバー体２２とゴム板２０との間には隙間２１が形成され、又カバー体２２の連通口１９と対向する位置には開口２３が形成されていることにより、ゴム板２０の膨張、収縮の邪魔になることがなく、良好に逆流する燃焼空気流の圧力上昇分を吸収して振動燃焼を防止出来るものである。
【符号の説明】
【００１６】
１  バーナ
３  燃焼ファン
４  送風経路
１７  振動燃焼抑制箱
１８  連通路
２０  ゴム板
２２  カバー体
【図１】
2013002795.tif 000003
【図２】
2013002795.tif 000004
【図３】
2013002795.tif 000005